(57)【要約】【課題】眼鏡フレームのずれ落ち防止手段を有するテンプルとして使用することができ、また、ずれ落ち防止手段を有さないテンプルとしても使用することができるテンプルを提供する。【解決手段】テンプル１は、テンプル本体４と、耳当接部５１を有する耳当て部材５と、可撓性の絡み防止部材６とを備える。絡み防止部材６は弾性部材であって、耳当接部５１の前端部５１ａをテンプル本体４側へ押し付ける弾性力を作用させる姿勢と、前端部５１ａをテンプル本体４から離間させる弾性力を作用させる姿勢とに切り替わる。テンプル本体４は、柱部４３ａと係止部４３ｂとから成る突起部４３を具備し、絡み防止部材６は、長穴形状の貫通穴６１を具備する。絡み防止部材６は、貫通穴６１に突起部４３を貫通させてテンプル本体４に取り付けられる。絡み防止部材６がテンプル本体４に取り付けられた状態では、係止部４３ｂの長手方向と貫通穴６１の長手方向とが平行でない。【選択図】図１
0003166246.tif 000002
【実用新案登録請求の範囲】
【請求項１】
前端部側が眼鏡フレームの前枠に取り付け可能に構成されるテンプル本体と、
軸部材を介して前記テンプル本体の後端部に揺動自在に且つ着脱自在に取り付けられ、耳の裏側に当接可能な耳当接部を有する耳当て部材と、
前記耳当て部材が取り付けられた前記テンプル本体の部位より前方に設けられた突起部と、
前記突起部と前記耳当接部の前端部とを連結する可撓性の絡み防止部材とを備え、
前記絡み防止部材は、弾性部材であって、前記耳当接部の前端部を前記テンプル本体側へ押し付ける弾性力を作用させる姿勢と、該耳当接部の前端部を該テンプル本体から離間させる弾性力を作用させる姿勢とに切り替わり、
前記突起部は、前記テンプル本体から下方に突出した柱部と前記柱部の先端に該柱部の軸方向に対して長手方向が垂直になるように取り付けられた棒形状の係止部とを具備して、Ｔ字形状に形成されており、
前記絡み防止部材は、長穴形状の貫通穴を前端部に具備し、前記貫通穴に前記突起部を貫通させて前記テンプル本体に取り付けられ、
前記絡み防止部材が前記テンプル本体に取り付けられた状態では、前記突起部の係止部の長手方向と前記貫通穴の長手方向とが平行でないことを特徴とするテンプル。
【請求項２】
眼鏡フレームを構成するテンプル本体に着脱自在に取り付けられ、且つ後方に向けて下方に湾曲した部位を有する取付本体部と、
軸部材を介して前記取付本体部の後端部に揺動自在に且つ着脱自在に取り付けられ、耳の裏側に当接可能な耳当接部を有する耳当て部材と、
前記耳当て部材が取り付けられた前記取付本体部の部位より前方に設けられた突起部と、
前記突起部と前記耳当接部の前端部とを連結する可撓性の絡み防止部材とを備え、
前記絡み防止部材は、弾性部材であって、前記耳当接部の前端部を前記取付本体部側へ押し付ける弾性力を作用させる姿勢と、該耳当接部の前端部を該取付本体部から離間させる弾性力を作用させる姿勢とに切り替わり、
前記突起部は、前記取付本体部から下方に突出した柱部と前記柱部の先端に該柱部の軸方向に対して長手方向が垂直になるように取り付けられた棒形状の係止部とを具備して、Ｔ字形状に形成されており、
前記絡み防止部材は、長穴形状の貫通穴を前端部に具備し、前記貫通穴に前記突起部を貫通させて前記取付本体部に取り付けられ、
前記絡み防止部材が前記取付本体部に取り付けられた状態では、前記突起部の係止部の長手方向と前記貫通穴の長手方向とが平行でないことを特徴とする眼鏡取付具。
【考案の詳細な説明】
【技術分野】
【０００１】
本考案は、テンプル及び眼鏡取付具に関する。特に、眼鏡フレームのずれ落ちを防止する手段を有し、且つその手段が着脱自在であるテンプル及び眼鏡取付具に関する。
【背景技術】
【０００２】
本考案者らは、以前、眼鏡フレームの装着時に、耳の裏側に当接する耳当接部によって眼鏡フレームのずれ落ちを防止する眼鏡フレームの発明を行っている（特許文献１）。この眼鏡フレームによって、眼鏡フレームのずれ落ちを効果的に防止することができる。
【０００３】
しかしながら、運動を行わないような使用状況においては、特許文献１に係る発明のような眼鏡フレームのずれ落ちを防止する手段（以下、ずれ落ち防止手段という）を煩わしく感じる使用者もいる。
そのような場合には、ずれ落ち防止手段を有さない眼鏡フレームを使用しなければならず、そのために、２個の眼鏡フレームを用意しなければならないので費用がかかり、また、２個の眼鏡フレームを所持するのが煩わしいという問題がある。
【先行技術文献】
【特許文献】
【０００４】
【特許文献１】特開２００５−０３１６１６号公報
【考案の概要】
【考案が解決しようとする課題】
【０００５】
本考案は、斯かる従来技術の問題を解決するためになされたものであり、眼鏡フレームのずれ落ち防止手段を有するテンプルとして使用することができ、また、ずれ落ち防止手段を有さないテンプルとしても使用することができるテンプルを提供することを課題とする。
【課題を解決するための手段】
【０００６】
前記課題を解決するため、本考案は、前端部側が眼鏡フレームの前枠に取り付け可能に構成されるテンプル本体と、軸部材を介して前記テンプル本体の後端部に揺動自在に且つ着脱自在に取り付けられ、耳の裏側に当接可能な耳当接部を有する耳当て部材と、前記耳当て部材が取り付けられた前記テンプル本体の部位より前方に設けられた突起部と、前記突起部と前記耳当接部の前端部とを連結する可撓性の絡み防止部材とを備え、前記絡み防止部材は、弾性部材であって、前記耳当接部の前端部を前記テンプル本体側へ押し付ける弾性力を作用させる姿勢と、該耳当接部の前端部を該テンプル本体から離間させる弾性力を作用させる姿勢とに切り替わり、前記突起部は、前記テンプル本体から下方に突出した柱部と前記柱部の先端に該柱部の軸方向に対して長手方向が垂直になるように取り付けられた棒形状の係止部とを具備して、Ｔ字形状に形成されており、前記絡み防止部材は、長穴形状の貫通穴を前端部に具備し、前記貫通穴に前記突起部を貫通させて前記テンプル本体に取り付けられ、前記絡み防止部材が前記テンプル本体に取り付けられた状態では、前記突起部の係止部の長手方向と前記貫通穴の長手方向とが平行でないことを特徴とするテンプルを提供する。
【０００７】
本考案によれば、耳当て部材と絡み防止部材とがテンプル本体から着脱自在なので、耳当て部材と絡み防止部材とを取り付ければ、テンプルをずれ落ち防止手段を有するテンプルとして使用することができ、耳当て部材と絡み防止部材とを取り外せばテンプルをずれ落ち防止手段を有さないテンプルとして使用することができる。
また、絡み防止部材が可撓性を有することにより耳当接部の前端部が２つの姿勢を切り替えられるが、この切り替えによって絡み防止部材が千切れる等の破損をする虞がある。しかし、絡み防止部材が破損した場合に、テンプル全体を取り換えなくても耳当て部材と絡み防止部材とを取り換えればよいので経済的である。
また、絡み防止部材が、テンプル本体に取り付けられているときには、貫通穴の長手方向と係止部の長手方向とが平行でないので、係止部が貫通穴の周囲の部位に係止され、絡み防止部材がテンプル本体から外れる虞がなく、絡み防止部材を確実に取り付けることができる。
また、絡み防止部材をテンプル本体に着脱するときには、貫通穴の長手方向と係止部の長手方向とを平行にすればよく、そうすることにより絡み防止部材を容易に着脱することができる。
尚、本明細書において、眼鏡フレームを装着した装着者の頭部の水平断面の中心を基準として前頭部が有る方向を前方とし、後頭部が有る方向を後方としており、「前端部」とは、装着された眼鏡フレームにおいて、眼鏡フレームを構成する各部材における前方の端部をいい、「後端部」とは、眼鏡フレームを構成する各部材における後方の端部をいう。
【０００８】
また、本考案は、眼鏡フレームを構成するテンプル本体に着脱自在に取り付けられ、且つ後方に向けて下方に湾曲した部位を有する取付本体部と、軸部材を介して前記取付本体部の後端部に揺動自在に且つ着脱自在に取り付けられ、耳の裏側に当接可能な耳当接部を有する耳当て部材と、前記耳当て部材が取り付けられた前記取付本体部の部位より前方に設けられた突起部と、前記突起部と前記耳当接部の前端部とを連結する可撓性の絡み防止部材とを備え、前記絡み防止部材は、弾性部材であって、前記耳当接部の前端部を前記取付本体部側へ押し付ける弾性力を作用させる姿勢と、該耳当接部の前端部を該取付本体部から離間させる弾性力を作用させる姿勢とに切り替わり、前記突起部は、前記取付本体部から下方に突出した柱部と前記柱部の先端に該柱部の軸方向に対して長手方向が垂直になるように取り付けられた棒形状の係止部とを具備して、Ｔ字形状に形成されており、前記絡み防止部材は、長穴形状の貫通穴を前端部に具備し、前記貫通穴に前記突起部を貫通させて前記取付本体部に取り付けられ、前記絡み防止部材が前記取付本体部に取り付けられた状態では、前記突起部の係止部の長手方向と前記貫通穴の長手方向とが平行でないことを特徴とする眼鏡取付具を提供する。
【０００９】
本考案によれば、眼鏡取付具がテンプル本体から着脱自在なので、眼鏡取付具を取り付ければ、テンプル本体をずれ落ち防止手段を有するテンプル本体として使用することができ、耳当て部材と絡み防止部材とを取り外せばテンプル本体をずれ落ち防止手段を有さないテンプル本体として使用することができる。
また、絡み防止部材が可撓性を有することにより耳当接部の前端部が２つの姿勢を切り替えられるが、この切り替えによって絡み防止部材が千切れる等の破損をする虞がある。しかし、絡み防止部材が破損した場合に、眼鏡取付具を取り換えなくても耳当て部材と絡み防止部材とを取り換えればよいので経済的である。
また、絡み防止部材が、取付本体部に取り付けられているときには、貫通穴の長手方向と係止部の長手方向とが平行でないので、係止部が貫通穴の周囲の部位に係止され、絡み防止部材が取付本体部から外れる虞がなく、絡み防止部材を確実に取り付けることができる。
また、絡み防止部材を取付本体部に着脱するときには、貫通穴の長手方向と係止部の長手方向とを平行にすればよく、そうすることにより絡み防止部材を容易に着脱することができる。
また、ストレートテンプルに取付本体部を取り付けた場合に、耳当て部材と絡み防止部材とを取付本体部から取り外せば、ストレートテンプルを後方が下方に湾曲したテンプル本体として使用することができる。
【考案の効果】
【００１０】
本考案によれば、耳当て部材と絡み防止部材とがテンプル本体から着脱自在なので、耳当て部材と絡み防止部材とを取り付ければ、テンプルをずれ落ち防止手段を有するテンプルとして使用することができ、耳当て部材と絡み防止部材とを取り外せばテンプルをずれ落ち防止手段を有さないテンプルとして使用することができる。
【図面の簡単な説明】
【００１１】
【図１】図１（ａ）は、本実施形態に係るテンプルの構成図であり、図１（ｂ）は、同テンプルの耳当て部材及び絡み防止部材の構成図であり、図１（ｃ）は、図１（ａ）のＡ−Ａ断面図であり、図１（ｄ）は、図１（ａ）のＢ−Ｂ断面図である。
【図２】図２は、同テンプルの揺動部を軸部材に取り付けるときの動作を示す図である。
【図３】図３（ａ）は、同テンプルの突起部の斜視図であり、図３（ｂ）は、絡み防止部材の前部の斜視図である。
【図４】図４（ａ）（ｂ）は、同テンプルの耳当て部材と絡み防止部材とをテンプル本体に取り付けるときの動作を示す図である。
【図５】図５（ａ）（ｂ）は、同テンプルの絡み防止部材によって切り替えられる耳当接部の２つの姿勢を示す図である。
【図６】図６（ａ）は、本実施形態に係る眼鏡取付具の構成図であり、図６（ｂ）は、図６（ａ）のＡ−Ａ断面図であり、図６（ｃ）は、眼鏡取付具を取り付けた眼鏡フレームの構成図である。
【考案を実施するための形態】
【００１２】
本考案の実施形態に係るテンプルついて、添付図面を適宜参照しつつ説明する。
図１（ａ）は、テンプルの構成図であり、図１（ｂ）は、耳当て部材及び絡み防止部材の構成図であり、図１（ｃ）は、図１（ａ）のＡ−Ａ断面図であり、図１（ｄ）は、図１（ａ）のＢ−Ｂ断面図である。
テンプル１は、前端部側が眼鏡フレーム２の前枠３に取り付け可能に構成されるテンプル本体４と、テンプル本体４の後端部に揺動自在に且つ着脱自在に取り付けられ、耳の裏側に当接可能な耳当接部５１を有する耳当て部材５と、耳当接部５１が取り付けられたテンプル本体４の部位より前方に設けられた突起部４３と、突起部４３と耳当接部５１の前端部５１ａとを連結する可撓性を有する弾性部材である絡み防止部材６とを備えている。
テンプル本体４の後端部は、図１（ｃ）に示すように断面形状が下方に向けて凹形状になっており、凹形状の両側面を軸部材４２が架け渡している。
【００１３】
耳当て部材５は、耳の裏側に当接するように湾曲した耳当接部５１を具備している。また、耳当て部材５は、耳当接部５１の湾曲部分の略中間に、テンプル本体４の後端部に配せられた軸部材４２に着脱される揺動部５２を具備している。揺動部５２は、耳当接部５１に取り付けられた基部５２ａと、基部５２ａに取り付けられ弾性を有するＣ字形状のＣ字先端部５２ｂとを具備している。Ｃ字先端部５２ｂは、例えばエラストマ（天然ゴム、合成ゴム等の弾性を有する高分子物質）から成っている。
基部５２ａとＣ型先端部５２ｂとは、それぞれ耳当て部材５とは別個に製造されて、接着等によってそれぞれ耳当て部材５に取り付けられてもよいし、一体成型されて接着等によって耳当て部材５に取り付けられてもよい。また、基部５２ａとＣ型先端部５２ｂとは、耳当て部材５と一体成型によって製造されてもよい。
図２は、揺動部５２を軸部材４２に取り付けるときの動作を示す図である。揺動部５２を軸部材４２に取り付けるには、Ｃ字先端部５２ｂの開口部を軸部材４２に押圧する。Ｃ字先端部５２ｂの両端が軸部材４２によって押し広げられ（図２（ａ））、軸部材４２がＣ字先端部５２ｂに嵌合される（図２（ｂ））。Ｃ字先端部５２ｂによって囲まれた空間の外径Ｌ１は、軸部材４２の断面の外径Ｌ２よりも大きいように形成されているので、耳当て部材５は、軸部材４２を支点として揺動することができる。
尚、耳当て部材５がテンプル本体４の後部に取り付けられる構造は、上述した構造に限られず、耳当て部材５がテンプル本体４の後部に揺動自在に且つ着脱自在に取り付けられるならどのような構造でもよい。例えば、耳当て部材５が軸部材を具備し、テンプル本体４の後部が軸部材に嵌合する揺動部を具備してもよい。
【００１４】
テンプル本体４は、絡み防止部材６を連結する突起部を下方に向けて具備している。図３（ａ）は、突起部の斜視図である。
突起部４３は、テンプル本体４から下方に突出した柱部４３ａと柱部４３ａの先端に柱部４３ａの軸方向に対して長手方向が垂直になるように取り付けられた棒形状の係止部４３ｂとを具備して、Ｔ字形状に形成されている。係止部４３ｂと柱部４３ａとは、それぞれテンプル本体４とは別個に製造されて、接着等によってそれぞれテンプル本体４に取り付けられてもよいし、一体成型されてテンプル本体４に接着等によって取り付けられてもよい。また、係止部４３ｂと柱部４３ａとは、テンプル本体４と一体成型によって製造されてもよい。
係止部４３ｂの長手方向（Ｄ１）は、テンプル本体４の長手方向と略垂直であって略水平になっている。
絡み防止部材６の前端部には、長穴形状の貫通穴が設けられている。図３（ｂ）は、絡み防止部材６の前端部の斜視図である。貫通穴６１の長手方向（Ｄ２）は、絡み防止部材６の長手方向と略平行になっている。係止部４３ｂの長手方向（Ｄ１）の長さは、貫通穴６１の短手方向（Ｄ３）の長さよりも長くなっている。また、貫通穴６１の長手方向（Ｄ２）及び短手方向（Ｄ３）の長さは、係止部４３ｂの長手方向（Ｄ１）及び短手方向（Ｄ４）のそれぞれの長さよりも長いか又は略同一の長さになっている。
【００１５】
次に、耳当て部材５と絡み防止部材６とをテンプル本体４に取り付けるときの動作を、図４を参照して説明する。
耳当て部材５と絡み防止部材６とは、同一の素材であって一体成型されており、この耳当て部材５と絡み防止部材６とを併せて着脱部材７という。
着脱部材７をテンプル本体４に取り付けるときには、着脱部材７の長手方向（Ｄａ）をテンプル本体４の長手方向（Ｄｂ）に対して略垂直にし、係止部４３ｂに貫通穴６１を押し当て、突起部４３を貫通穴６１に貫通させる（図４（ａ））。続いて、柱部４３ａを支点として着脱部材７を回転させ、着脱部材７の長手方向（Ｄａ）とテンプル本体４の長手方向（Ｄｂ）とを平行にする（図４（ｂ））。続いて、揺動部５２を軸部材４２に押圧し、揺動部５２を軸部材４２に取り付ける（図２）。
このようにして着脱部材７（絡み防止部材６）をテンプル本体４に取り付けることにより、貫通穴６１の長手方向と係止部４３ｂの長手方向とが平行でなく、係止部４３ｂが貫通穴６１の周囲の部位に係止されるので、着脱部材７がテンプル本体４から外れる虞がなく、着脱部材７が確実に取り付けられる。
また、着脱部材７をテンプル本体４に着脱するときには、貫通穴６１の長手方向と係止部４３ｂの長手方向とを平行にすればよく、着脱部材７を容易に着脱することができる。
尚、本実施形態では、着脱部材７をテンプル本体４に取り付けたときに、貫通穴６１の長手方向と係止部４３ｂの長手方向とが垂直になっているが、必ずしも垂直にしなくてもよい。着脱部材７をテンプル本体４に取り付けたときに係止部４３ｂが貫通穴６１から抜けないように、少なくとも貫通穴６１の長手方向と係止部４３ｂの長手方向とが平行でなければよい。
また、絡み防止部材６には、例えば、エラストマや形状記憶合金等で形成された板ばね等、種々の弾性部材が採用可能である。本実施形態では、耳当て部材５と絡み防止部材６とは、同一の素材であって一体成型されているが、耳当て部材５と絡み防止部材６とは別々の素材、又は同一の素材であって、接着やねじ等によって接合されていてもよい。
【００１６】
次に、絡み防止部材６によって切り替えられる耳当接部５１の２つの姿勢について、図５を参照して説明する。
絡み防止部材６が可撓性を有する弾性部材で形成されているので、所定位置を切り替え点として当該切り替え点より耳当接部５１の前端部５１ａがテンプル本体４に近い側では、弾性力Ｆａが作用し、図５（ａ）のように耳当接部５１の前端部５１ａがテンプル本体４側に押し付けられた位置で保持される。一方、前記切り替え点より耳当接部５１の前端部がテンプル本体４から離間した位置にあると、絡み防止部材６が撓むことによって、弾性力の作用する方向が反転し、弾性力Ｆｂが作用して、図５（ｂ）のように耳当接部５１の前端部がテンプル本体４から離間した位置で保持される。
【００１７】
したがって、使用者が眼鏡フレーム２を装着するときには、耳当接部５１の前端部がテンプル本体４から離間した位置で保持された姿勢（図５（ｂ））にすることにより、前枠３と耳当て部材５の後端部との距離Ｌ４が図５（ａ）における距離Ｌ３と比べて広げられた状態となるため、耳当て部材５が邪魔になることなく（耳当て部材５を手で押さえておくことなく）容易に装着することができる。そして、耳に当接することによって（耳当接部５１の後端部を耳の裏側で押すことによって）、絡み防止部材６の姿勢が、耳当接部５１の前端部５１ａをテンプル本体４側へ押し付ける弾性力Ｆａを作用させる姿勢（図５（ａ））へと切り替わり、耳当接部５１の後端部がしっかりと耳の裏側に当接可能となる。
【００１８】
また、眼鏡フレーム２を取り外すときには、耳当接部５１の後端部を指で後側に押圧することによって、絡み防止部材６の姿勢が、耳当接部５１の前端部５１ａをテンプル本体４側から離間した位置へ押し付ける弾性力Ｆｂを作用させる姿勢（図５（ｂ））へと切り替わり、眼鏡フレーム２を容易に取り外すことができる。このとき、テンプル本体４と耳当接部５１の前端部５１ａとの間が絡み防止部材６で塞がれているため、髪の毛がテンプル本体４と耳当接部５１との取り付け部分（揺動部５２）に入り込みにくく、これに絡まることが抑制される。
【００１９】
このように、絡み防止部材６がその弾性力によって耳当接部５１の姿勢を切り替えることができるため、眼鏡フレーム２をより容易に装着することができ、かつ、眼鏡フレームのずれ落ちをより効果的に抑制することができる。
【００２０】
そして、耳当て部材５と絡み防止部材６とがテンプル本体４から着脱自在なので、耳当て部材５と絡み防止部材６とを取り付ければ、テンプル１をずれ落ち防止手段を有するテンプル１として使用することができ、耳当て部材５と絡み防止部材６とを取り外せばテンプル１をずれ落ち防止手段を有さないテンプル１として使用することができる。
また、絡み防止部材６が可撓性を有することにより耳当接部５１の前端部５１ａが２つの姿勢に切り替わるが、この切り替えによって絡み防止部材６が千切れる等の破損をする虞がある。しかし、絡み防止部材６が破損した場合には、テンプル本体４を取り換えなくても耳当て部材５と絡み防止部材６とを取り換えればよいので経済的である。
【００２１】
なお、絡み防止部材６は、絡み防止部材６に用いられた弾性部材の弾性係数、厚み、長さの組み合わせを好適に選択することにより、弾性力の方向を好適に切り替えることができる。
【００２２】
次に、本考案の実施形態に係る眼鏡取付具について、添付図面を適宜参照しつつ説明する。眼鏡取付具は、上述したテンプルが有したずれ落ち防止の機能を、ずれ落ち防止の機能を有さないテンプルにも付与するものである。
図６（ａ）は、眼鏡取付具の構成図であり、図６（ｂ）は、図６（ａ）のＡ−Ａ断面図であり、図６（ｃ）は、眼鏡取付具を取り付けた眼鏡フレームの構成図である。
眼鏡取付具１０１は、眼鏡フレーム２のテンプル本体４に取り付け可能に構成される取付本体部１０４と、取付本体部１０４の後部に揺動自在に且つ着脱自在に取り付けられ、耳の裏側に当接可能な耳当接部１５１を有する耳当て部材１０５と、耳当て部材１０５が取り付けられた取付本体部１０４の部位より前方にある突起部１４３と、突起部１４３と耳当接部１５１の前端部１５１ａとを連結する可撓性の絡み防止部材１０６とを備えている。
取付本体部１０４の後部、突起部１４３、耳当て部材１０５、耳当接部１５１、前端部１５１ａ、及び絡み防止部材１０６の構成は、それぞれ、上述したテンプル１におけるテンプル本体４の後端部、突起部４３、耳当て部材５、耳当接部５１、前端部５１ａ、及び絡み防止部材６の構成と同様なので、それぞれの構成等の説明を省略する。
【００２３】
取付本体部１０４は、眼鏡フレーム２のテンプル本体４を狭持する断面がＣ字形状の狭持部１０４ａを有している。狭持部１０４ａは、取付本体部１０４の長手方向に延長して形成されている。狭持部１０４ａによって囲まれた空間の外径は、テンプル本体４の外径よりも少し小さくなるように形成されている。
狭持部１０４ａは、弾性部材であって、例えば、エラストマや形状記憶合金等で形成された板ばね等、種々の弾性部材が採用可能である。本実施形態では、狭持部１０４ａと取付本体部１０４とは、同一の素材であって一体成型されているが、狭持部１０４ａと取付本体部１０４とは別々の素材、又は同一の素材であって、接着やねじ等によって接合されていてもよい。
眼鏡取付具１０１は、狭持部１０４ａによって眼鏡フレーム２のテンプル本体４に取り付けられる。
【００２４】
絡み防止部材１０６は、上述したテンプル１における絡み防止部材６と同様に、耳当接部１５１の前端部１５１ａを取付本体部１０４側へ押し付ける弾性力を作用させる姿勢と、耳当接部１５１の前端部１５１ａを取付本体部１０４から離間させる弾性力を作用させる姿勢とに切り替わる。
また、耳当て部材１０５と絡み防止部材１０６とは、上述したテンプル１における耳当て部材５と絡み防止部材６とがテンプル本体４から容易に着脱できるのと同様に、取付本体部１０４から容易に着脱することができる。
【００２５】
眼鏡取付具１０１が、上記のような構成を有することにより、眼鏡取付具１０１がテンプル本体４から着脱自在なので、眼鏡取付具１０１をテンプル本体４に取り付ければ、テンプル本体４をずれ落ち防止手段を有するテンプル本体４として使用することができ、耳当て部材１０５と絡み防止部材１０６とを取り外せばテンプル本体４をずれ落ち防止手段を有さないテンプル本体４として使用することができる。
また、絡み防止部材１０６が可撓性を有することにより耳当接部１５１の前端部１５１ａが２つの姿勢を切り替えるが、この切り替えによって絡み防止部材１０６が千切れる等の破損をする虞がある。そして、絡み防止部材１０６が破損した場合に、眼鏡取付具１０１を取り換えなくても耳当て部材１０５と絡み防止部材１０６とを取り換えればよいので経済的である。
また、絡み防止部材１０６が、取付本体部１０４に取り付けられているときには、貫通穴の長手方向と、係止部の長手方向とが平行でなく、係止部が貫通穴の周囲の部位に係止されるので、絡み防止部材１０６が取付本体部１０４から外れる虞がなく、絡み防止部材１０６を確実に取り付けることができる。
また、絡み防止部材１０６を取付本体部１０４に着脱するときには、貫通穴の長手方向と係止部の長手方向とを平行にすればよく、そうすることにより絡み防止部材１０６を容易に着脱することができる。
また、眼鏡フレーム２がストレートテンプルを有する場合に、ストレートテンプルに眼鏡取付具１０１を取り付け、耳当て部材１０５と絡み防止部材１０６とを取付本体部１０４から取り外せば、ストレートテンプルを後方が下方に湾曲したテンプルとして使用することができる。
【００２６】
なお、本考案は、上記実施形態の構成に限られず、考案の趣旨を変更しない範囲で種々の変形が可能である。
【符号の説明】
【００２７】
１・・・テンプル
２・・・眼鏡フレーム
４・・・テンプル本体
４２・・・軸部材
４３・・・突起部
４３ａ・・・柱部
４３ｂ・・・係止部
５・・・耳当て部材
５１・・・耳当接部
５１ａ・・・前端部
６・・・絡み防止部材
６１・・・貫通穴
１０１・・・眼鏡取付具
１０４・・・取付本体部
１０５・・・耳当て部材
１５１・・・耳当接部
１５１ａ・・・前端部
１０６・・・絡み防止部材
【図１】
0003166246.tif 000003
【図２】
0003166246.tif 000004
【図３】
0003166246.tif 000005
【図４】
0003166246.tif 000006
【図５】
0003166246.tif 000007
【図６】
0003166246.tif 000008